(57)【特許請求の範囲】
【請求項１】
送信回路と減衰量制御回路とを有し、送信回路は、インタフェースラインからIF送信信号を入力し、入力IF送信信号をマイクロ波帯に周波数変換して所定の出力まで増幅した後に、そのマイクロ波送信信号を可変減衰器に与えて送信電力を減衰させ、可変減衰器の出力を送信ドライバを経て送信し、前記減衰量制御回路は、減衰量制御信号を生成して前記可変減衰器による送信電力の減衰量を制御する、送信出力制御回路において、
減衰量制御が行われる減衰量の範囲を複数の区間に区分して、それぞれの減衰量区間毎に前記可変減衰器の通過電流値に対する減衰量の勾配の代表値を、前記可変減衰器の既知の減衰量・通過電流特性に従って予め定め、該代表値の逆数に所定の比例定数を乗算した量を、当該区間の減衰量の重みと定義するとき、
前記減衰量制御回路は、
前記送信ドライバの出力信号を分岐し、検波して検波信号を生成する送信電力検出手段と、
前記検波信号をA/D変換して送信電力値を生成し、該送信電力値に対応する減衰量を、設定されている送信電力値に対応する減衰量と比較して減衰量偏差を生成し、該減衰量偏差を補償するように定められた減衰量補正値を、現在の送信電力値に対応する減衰量に加算して更新された減衰量を演算する情報処理手段と、前記更新された減衰量を前記減衰量区間毎に区切ってそれぞれの減衰量区間に配属させ、それぞれの区間毎の減衰量に前記重みを付けて加算して得られる重み付け加算量に比例するアナログ信号を生成して減衰量制御信号として出力するD/A変換手段と、
D/A変換手段の出力を、前記可変減衰器の制御に適合する電気信号に変換して、前記可変減衰器に供給する信号変換手段と
を有する、
ことを特徴とする通信装置の送信出力制御回路。
【請求項２】
D/A変換手段は、それぞれの区間毎の減衰量をアナログ信号にD/A変換して前記区間毎の減衰量に該当するアナログ信号を生成し、前記区間毎の減衰量に該当するアナログ信号に前記重みを付けて加算して減衰量制御信号を生成する請求項１に記載の送信制御回路。
【請求項３】
D/A変換手段は、前記複数の減衰量区間に対応する複数段のD/A変換器と加算回路を備え、該複数段のD/A変換器が、順次に前記更新された減衰量をカウントした後、それぞれのD/A変換器は、それぞれの計数値をアナログ信号に変換して前記区間毎の減衰量に該当するアナログ信号を生成し、
前記加算回路は、D/A変換器毎に生成されたアナログ信号に当該区間の重みを付けて加算し、その加算結果をD/A変換手段の出力として出力する、
請求項２に記載の送信出力制御回路。
【請求項４】
減衰量制御回路は、さらにゲイン切り替え回路を有し、該ゲイン切り替え回路は、送信電力が所定の閾値よりも大きいか、該閾値以下であるかに対応する切り替え信号に応じてゲインを切り替えて、送信電力検出手段の出力信号を増幅し、その増幅された信号を情報処理手段に出力する、請求項３に記載の送信出力制御回路。
【請求項５】
ゲイン切り替え回路は、
切り替え信号が、送信電力が所定の閾値よりも大きいことを示す第１の論理レベルであるときには導通状態にされ、送信電力が前記閾値以下であることを示す第２の論理レベルであるときには、遮断状態にされるトランジスタスイッチと、該トランジスタスイッチが遮断状態のときにはゲイン１の増幅を行い、該トランジスタスイッチが導通状態のときには１より小さいゲインで増幅を行う増幅回路と
を有する、請求項４に記載の送信出力制御回路。
【請求項６】
ゲイン切り替え回路は、増幅回路の出力を対数増幅するログアンプリファイヤを備えている請求項５に記載の送信出力制御回路。
【請求項７】
情報処理手段は、プロセッサユニットとメモリを有し、メモリは送信電力値に対する減衰量のテーブルを蓄積し、プロセッサユニットは、送信電力が設定された後、現在の送信電力を受信したとき、前記テーブルを参照して、現在の送信電力値に対応する減衰量を、設定されている送信電力値に対応する減衰量と比較して減衰量偏差を生成し、該減衰量偏差を補償するように定められた減衰量補正値を、現在の送信電力値に対応する減衰量に加算して、更新された減衰量を演算してD/A変換手段に送信する、請求項４に記載の送信出力制御回路。
【請求項８】
情報処理手段は、設定された送信電力値を所定の閾値と比較して、切り替え信号をゲイン切り替え回路に供給し、送信電力値に対する減衰量のテーブルは切り替え信号の内容に対応して高送信電力用の第１のテーブルと低送信電力用の第２のテーブルとの２種類のテーブルを含み、該２種類のテーブルは、高送信電力用テーブルの所定の低送信電力領域と低送信電力用テーブルの所定の高送信電力領域とがオーバーラップしている、請求項７に記載の送信出力制御回路。
【請求項９】
情報処理手段は、ゲイン切り替え回路に送信した切り替え信号に対応して第１および第２のテーブルのうちの一方を参照して、更新された減衰量を演算してD/A変換手段に送信し、D/A変換手段から可変減衰器に送信された減衰量制御信号に対応して補正された送信電力値を、送信電力検出手段を介して受信し、受信した送信電力値から、前記テーブルを参照して、更新された減衰量を生成してD/A変換手段に送信する制御動作を繰り返す減衰量制御プログラムを有する、請求項８に記載の送信出力制御回路。
【請求項１０】
減衰量制御プログラムは、送信電力の設定値に該当する減衰量に対する、現在の送信電力に該当する減衰量の減衰量偏差を大きさによって分類し、同一の部類に属する減衰量偏差には同一の補正値を設定し、かつ、大きな減衰量偏差が属する部類には大きな補正値を設定し、制御時には、減衰量偏差の大きさに応じて大きな補正値による補正から小さな補正値による補正に処理を進める手順を含んでいる、請求項９に記載の送信出力制御回路。
【請求項１１】
情報処理手段のメモリは、送信電力検出手段の出力の温度依存性を補償するために、各温度に対する送信電力の補正値を記述したテーブルを有する、請求項７に記載の送信電力制御回路。
【請求項１２】
送信回路と減衰量制御回路とを有し、送信回路は、インタフェースラインからIF送信信号を入力し、入力IF送信信号をマイクロ波帯に周波数変換して所定の出力まで増幅した後に、そのマイクロ波送信信号を可変減衰器に与えて送信電力を減衰させ、可変減衰器の出力を送信ドライバを経て送信し、前記減衰量制御回路は、減衰量制御信号を生成して前記可変減衰器による送信電力の減衰量を制御する、送信出力制御回路における送信出力制御方法において、減衰量制御が行われる減衰量の範囲を複数の区間に区分して、それぞれの減衰量区間毎に前記可変減衰器の通過電流値に対する減衰量の勾配の代表値を、前記可変減衰器の既知の減衰量・通過電流特性に従って予め定め、該代表値の逆数に所定の比例定数を乗算した量を、当該区間の減衰量の重みと定義し、
送信出力信号を分岐し、検波して検波信号を生成し、
前記検波信号をA/D変換して送信電力値を生成し、
該送信電力値に対応する減衰量を、設定されている送信電力値に対応する減衰量と比較して減衰量偏差を生成し、該減衰量偏差を補償するように定められた減衰量補正値を、現在の送信電力値に対応する減衰量に加算して更新された減衰量を演算し、
前記更新された減衰量を前記減衰量区間毎に区切ってそれぞれの減衰量区間に配属させ、
前記区間毎の減衰量に重みを付けて加算してその重み付け加算結果に比例するアナログ信号を生成して減衰量制御信号として出力する
処理過程を含んでいることを特徴とする通信装置の送信出力制御方法。
【請求項１３】
送信出力制御方法は、予め、生成された減衰量偏差を、その大きさによって予め分類し、同一の部類に属する減衰量偏差には同一の補正値を設定し、かつ、大きな減衰量偏差が属する部類には、大きな補正値を設定し、更新された減衰量を生成する処理は、減衰量偏差の大きさに応じて大きな補正値による補正から小さな補正値による補正に処理が進められる、手続きに従って実行され、
更新された減衰量を演算する処理過程は、
A/D変換によって生成された送信電力値を読み込む処理と、
読み込まれた送信電力に該当する減衰量を、設定された送信電力に該当する減衰量と比較して減衰量偏差を生成する処理と、
生成された減衰量偏差が、減衰量偏差の大きさによって予め分類された分類の、どの部類に属するかを定める処理と、
当該減衰量偏差が属する部類に対して予め定められた減衰量補正値を、前記読み込まれた送信電力に該当する減衰量に加算して更新された減衰量を生成する
処理を含み、
送信出力制御方法は、前記更新された減衰量を生成する処理によって更新された減衰量によって送信電力を制御し、その制御によって生成された送信電力値を読み込んで上記の更新された減衰量を生成する処理を繰り返す、
処理を含んでいる、請求項１２に記載の送信電力制御方法。
【発明の詳細な説明】
【０００１】
【発明の属する技術分野】
本発明は無線通信機の屋外装置の送信出力制御装置および送信出力制御方法に関し、特に送信回路と減衰量制御回路とを有し、送信回路は、インタフェースラインからIF送信信号を入力し、入力IF送信信号をマイクロ波帯に周波数変換して所定の出力まで増幅した後に、そのマイクロ波送信信号を可変減衰器に与えて送信電力を減衰させ、可変減衰器の出力を送信ドライバを経て送信し、前記減衰量制御回路は、減衰量制御信号を生成して前記可変減衰器による送信電力の減衰量を制御する送信出力制御回路、および送信出力制御回路を用いた送信出力制御方法に関する。
【０００２】
【従来の技術】
従来、この種の送受信装置、（屋外に設置する装置はODU（OUT  DOOR  UNIT屋外装置）とも呼ぶ）には、送信電力を一定に保つため、検波電圧からループアンプを通してアッテネータ（減衰器、以下ATTと称す）を制御するアナログループによるALC制御方式（自動レベル制御回路とも呼ぶ）が採用されていた。
【０００３】
図１３は送受信装置の従来例を示すブロック図である。
屋内装置とのインタフェース側であるIFL（インタフェースライン）には屋内にある通信装置とケーブルが接続されており、アンテナ側にはアンテナANTが接続されている。この通信装置の受信回路は、受信ドライバRX、増幅器１０b、ミキサ１１b、およびデマルチプレクサ１２を備え、信号は、アンテナANTからIFLに流れる。送信回路は、マルチプレクサ１２、ミキサ１１a、アンプ１０a、可変アッテネータ（ATT）９、増幅器１０、送信ドライバTXを備えた送信主回路と、送信回路のゲインを調整するために可変アッテネータ９に与える制御信号が生成される減衰量制御回路が帰還回路の形で設けられている。送信信号は、IFLからANTの方向に流れる。さらに、送受信装置は、送受信の通信モードを切り替えるためのデュプレクサ（DUP）１３を備えている。
通常、マルチプレクサとデマルチプレクサとは１つのユニットとして構成されている。図１３のMX/DMX１２はそのユニットである。
【０００４】
減衰量制御回路は、カプラ１７、検波器８、アナログアンプ１６、ローパスフィルタ（LPF）１８、V-I変換器１９を備えている。
【０００５】
送信出力は、一部をカプラ１７で分岐して検波器８で電圧に変換される。検波電圧はアナログアンプ１６で増幅され、低域フィルタ（LPF）１８によって平滑された後、その平滑された電圧はV-I変換器１９によって電流に変換されて、制御信号として可変アッテネータ９に入力される。
【０００６】
送信電力が高い場合には、検波電圧が大きくなり，ATT９に加わる電流が高くなるので、ゲインが絞られて、送信電力は下がる。逆に送信電力が低いと検波電圧が小さくなり、ATT９に加わる電流が低くなるので、ゲインが増加して送信電力は上がる。このようにして一定の送信電力が保たれている。送信回路の出力制御特性は、一巡ループゲインで決定される。
この従来の方式では、検波器８やATT９の特性のリニアリティが良くないと、ループゲインが一定でなくなり制御ループが不安定になるという問題点があった。
【０００７】
送受信装置のアナログループがもつ前掲の問題点を解決するために、図１３の送受信装置の検波電圧をA/D変換し、CPUを備えた制御盤でATTのゲインを制御する方式がある。
図１４は、このような送受信装置の一例で、自動レベル制御装置の要部を図１３の装置に関連付けて記述したブロック図である。図１４において、図１３と同一の参照番号をつけた部品は、図１３の対応部品と同一の機能を有する。
この装置においては、可変アッテネータ（ATT）９が制御信号値に対応した減衰率で、通過する無線変調信号を減衰させる。送信出力は、一部をカプラ１７で分岐して検波器８で電圧に変換される。検波電圧はA/D変換器３６によってディジタル信号に変換された後、制御回路（CONT）３３に入力される。制御回路３３はCPU３４とメモリ３５を備えている。メモリ３５は、A/D変換器３６の出力とATT９に与える制御信号との対応テーブルを保持している。CPU３４は、A/D変換器３６の出力信号を受信すると、メモリ３５にアクセスして前記対応テーブルを参照し、ATT９に与える制御信号値を表すディジタル信号を出力する。そのディジタル信号はD/A変換器３１によってアナログ信号に変換される。D/A変換器３１から出力されるアナログ電圧信号はV-I変換器１９によって電流に変換されて、制御信号として可変アッテネータ９に入力される。
【０００８】
図１４の送受信装置に類似した自動送信レベル制御装置が特開２０００−３４９７３８号公報に記載されている。
【０００９】
この装置においては、制御回路は、信号生成部により生成された無線変調信号（図３のIFLから入力された信号に該当する）の振幅値データと、メモリに保持されている所定のデータとを任意のタイミング毎に比較し、この比較した差分データの分布を求め、差分データの分布に基づき可変減衰器の減衰量を制御する制御信号を出力する。この差分データの最頻値に対応する補正値によって無線変調信号の補償を行う。この構成によれば、出力する無線変調信号の誤差分を、サンプル値が多く取とられた、誤差頻度の大きい補正値に従って長期的に補正する統計的制御になる。
【００１０】
【発明が解決しようとする課題】
上記の図１４の自動送信レベル制御装置においても、公報に記載されている自動レベル制御装置においても、送信回路の出力を制御装置によってディジタル処理をするためにA/D変換を必要とし、さらに、制御装置の出力をATT９のアナログ制御信号に変換するためのD/A変換が必要である。しかし、A/D変換やD/A変換には分解能に限界があるので、きめ細かい制御ができないという問題点がある。
【００１１】
さらに、上記の自動送信レベル制御装置には次の問題がある。
一般に可変減衰器の減衰量を制御する制御量と、その制御量によって制御される制御減衰量との関係は、送信出力の広い範囲においては線形ではなく、曲線形になる。したがって、減衰量偏差を補償するように制御量を定めても、その制御量によって生成される制御減衰量が送信出力レベルによって異なるので、ある送信出力レベルでは高速な出力レベルの自動制御が達成されても、他の送信出力レベルでは適正な出力レベルの自動制御が達成されることが保証されない。
上記の公報に記載されている自動送信レベル制御装置においては、統計的に出現頻度が高い減衰量偏差を補償するように制御量を定めて、当該減衰量偏差が出現しないようにすることによって、設定された出力レベルへ収束する速度を速くすることが意図されているけれど、この方式は、統計データを集積する時間を必要とし、かつ、処理プログラムが複雑になって演算量が多くなるという問題があると考えられる。
【００１２】
本発明の第１の目的は、前掲のCPUを備えた制御装置を用いて、A/D変換やD/A変換における分解能の限界によってきめ細かい制御が阻害されることのない送信出力制御方法と送信出力制御装置を提供することにある。
本発明の第２の目的は、送信出力レベルの広い範囲において、設定された送信出力レベルへ急速に収束することができる送信出力制御方法と送信出力制御装置を提供することにある。
【００１３】
【課題を解決するための手段】
上記の目的を達成するたに、本発明の送信出力制御回路は、送信回路と減衰量制御回路とを有し、送信回路は、インタフェースラインからIF送信信号を入力し、入力IF送信信号をマイクロ波帯に周波数変換して所定の出力まで増幅した後に、そのマイクロ波送信信号を可変減衰器に与えて送信電力を減衰させ、可変減衰器の出力を送信ドライバを経て送信し、前記減衰量制御回路は、減衰量制御信号を生成して前記可変減衰器による送信電力の減衰量を制御する、送信出力制御回路に次の特徴を与えて構成されている。
【００１４】
減衰量制御が行われる減衰量の範囲を複数の区間に区分して、それぞれの減衰量区間毎に前記可変減衰器の通過電流値に対する減衰量の勾配の代表値を、前記可変減衰器の既知の減衰量・通過電流特性に従って予め定め、該代表値の逆数に所定の比例定数を乗算した量を、当該区間の減衰量の重みと定義するとき、
減衰量制御回路は、
送信ドライバの出力信号を分岐し、検波して検波信号を生成する送信電力検出手段と、
検波信号をA/D変換して送信電力値を生成し、該送信電力値に対応する減衰量を、設定されている送信電力値に対応する減衰量と比較して減衰量偏差を生成し、該減衰量偏差を補償するように定められた減衰量補正値を、現在の送信電力値に対応する減衰量に加算して更新された減衰量を演算する情報処理手段と、
更新された減衰量を前記減衰量区間毎に区切ってそれぞれの減衰量区間に配属させ、それぞれの区間毎の減衰量に前記重みを付けて加算して得られる重み付け加算量に比例するアナログ信号を生成して減衰量制御信号として出力するD/A変換手段と、
D/A変換手段の出力を、前記可変減衰器の制御に適合する電気信号に変換して、前記可変減衰器に供給する信号変換手段と
を備えている。
【００１５】
このように、更新された減衰量を前記減衰量区間毎に区切ってそれぞれの減衰量区間に配属させ、それぞれの区間毎の減衰量に前記重みを付けて加算することによって、可変減衰器の減衰量・電流特性曲線に適合した減衰量制御を行うことができる。
【００１６】
D/A変換手段は、それぞれの区間毎の減衰量をアナログ信号にD/A変換して前記区間毎の減衰量に該当するアナログ信号を生成し、前記区間毎の減衰量に該当するアナログ信号に前記重みを付けて加算して減衰量制御信号を生成するように構成することが望ましい。
【００１７】
D/A変換手段の具体的な実施態様として、複数の減衰量区間に対応する複数段のD/A変換器と加算回路を備え、該複数段のD/A変換器が、順次に更新された減衰量をカウントした後、それぞれのD/A変換器は、それぞれの計数値をアナログ信号に変換して区間毎の減衰量に該当するアナログ信号を生成し、
加算回路は、D/A変換器毎に生成されたアナログ信号に当該区間の重みを付けて加算し、その加算結果をD/A変換手段の出力として出力する、
ように構成することができる。
【００１８】
減衰量制御回路は、さらにゲイン切り替え回路を有することが望ましい。このゲイン切り替え回路は、送信電力が所定の閾値よりも大きいか、該閾値以下であるかに対応する切り替え信号に応じてゲインを切り替えて、送信電力検出手段の出力信号を増幅し、その増幅された信号を情報処理手段に出力する。
このように、送信電力の大小に応じて増幅器のゲインを切り替えることによって、送信出力制御回路のダイナミックレンジを拡大することができる。
【００１９】
ゲイン切り替え回路は、切り替え信号が、送信電力が所定の閾値よりも大きいことを示す第１の論理レベルであるときには導通状態にされ、送信電力が前記閾値以下であることを示す第２の論理レベルであるときには、遮断状態にされるトランジスタスイッチと、該トランジスタスイッチが遮断状態のときにはゲイン１の増幅を行い、該トランジスタスイッチが導通状態のときには１より小さいゲインで増幅を行う増幅回路とを有することができる。
【００２０】
ゲイン切り替え回路は、増幅回路の出力を対数増幅するログアンプリファイヤを備えることができる。このようにしてdBm単位で出力制御を行うことができる。
【００２１】
情報処理手段は、プロセッサユニットとメモリを有し、メモリは送信電力値に対する減衰量のテーブルを蓄積し、プロセッサユニットは、送信電力が設定された後、現在の送信電力を受信したとき、テーブルを参照して、現在の送信電力値に対応する減衰量を、設定されている送信電力値に対応する減衰量と比較して減衰量偏差を生成し、該減衰量偏差を補償するように定められた減衰量補正値を、現在の送信電力値に対応する減衰量に加算して、更新された減衰量を演算してD/A変換手段に送信するように構成することが望ましい。
【００２２】
情報処理手段は、設定された送信電力値を所定の閾値と比較して、切り替え信号をゲイン切り替え回路に供給し、送信電力値に対する減衰量のテーブルは切り替え信号の内容に対応して高送信電力用の第１のテーブルと低送信電力用の第２のテーブルとの２種類のテーブルを含み、該２種類のテーブルは、高送信電力用テーブルの所定の低送信電力領域と低送信電力用テーブルの所定の高送信電力領域とがオーバーラップしていることが望ましい。
【００２３】
情報処理手段は、ゲイン切り替え回路に送信した切り替え信号に対応して第１および第２のテーブルのうちの一方を参照して、更新された減衰量を演算してD/A変換手段に送信し、D/A変換手段から可変減衰器に送信された減衰量制御信号に対応して補正された送信電力値を、送信電力検出手段を介して受信し、受信した送信電力値から、前記テーブルを参照して、更新された減衰量を生成してD/A変換手段に送信する制御動作を繰り返す減衰量制御プログラムを有することができる。
【００２４】
減衰量制御プログラムは、送信電力の設定値に該当する減衰量に対する、現在の送信電力に該当する減衰量の減衰量偏差を大きさによって分類し、各部類に属する減衰量偏差には同一の補正値を設定し、かつ、大きな減衰量偏差が属する部類には大きな補正値を設定し、制御時には、減衰量偏差の大きさに応じて大きな補正値による補正から小さな補正値による補正に処理を進める手順を含んでいることが望ましい。
この手順を実行することによって、送信出力がその設定値に収束する速度を向上させることができる。
【００２５】
情報処理手段のメモリは、送信電力検出手段の出力の温度依存性を補償するために、各温度に対する送信電力の補正値を記述したテーブルを有することができる。
【００２６】
本発明の送信出力制御方法は、本発明の送信出力制御回路を用いた送信出力制御方法であって、次の処理手順を含んでいる。
減衰量制御が行われる減衰量の範囲を複数の区間に区分して、それぞれの減衰量区間毎に前記可変減衰器の通過電流値に対する減衰量の勾配の代表値を、前記可変減衰器の既知の減衰量・通過電流特性に従って予め定め、該代表値の逆数に所定の比例定数を乗算した量を、当該区間の減衰量の重みと定義し、
送信出力信号を分岐し、検波して検波信号を生成し、
前記検波信号をA/D変換して送信電力値を生成し、
該送信電力値に対応する減衰量を、設定されている送信電力値に対応する減衰量と比較して減衰量偏差を生成し、該減衰量偏差を補償するように定められた減衰量補正値を、現在の送信電力値に対応する減衰量に加算して更新された減衰量を演算し、
更新された減衰量を前記減衰量区間毎に区切ってそれぞれの減衰量区間に配属させ、
区間毎の減衰量に重みを付けて加算してその重み付け加算結果に比例するアナログ信号を生成して減衰量制御信号として出力する。
【００２７】
前掲の送信出力制御方法は、予め、生成された減衰量偏差を、その大きさによって予め分類し、同一の部類に属する減衰量偏差には同一の補正値を設定し、かつ、大きな減衰量偏差が属する部類には、大きな補正値を設定し、更新された減衰量を生成する処理は、減衰量偏差の大きさに応じて大きな補正値による補正から小さな補正値による補正に処理が進められる、手続きに従って実行され、
更新された減衰量を演算する処理過程は、
A/D変換によって生成された送信電力値を読み込む処理と、
読み込まれた送信電力に該当する減衰量を、設定された送信電力に該当する減衰量と比較して減衰量偏差を生成する処理と、
生成された減衰量偏差が、減衰量偏差の大きさによって予め分類された分類の、どの部類に属するかを定める処理と、
当該減衰量偏差が属する部類に対して予め定められた減衰量補正値を、前記読み込まれた送信電力に該当する減衰量に加算して更新された減衰量を生成する
処理を含み、
送信出力制御方法は、前記更新された減衰量を生成する処理によって更新された減衰量によって送信電力を制御し、その制御によって生成された送信電力値を読み込んで上記の更新された減衰量を生成する処理を繰り返す、
処理を含むことができる。
【００２８】
【発明の実施の形態】
次に、本発明の実施形態について図面を参照して説明する。以下の記述に引用される図面において、図１３および図１４と同一の参照番号が付けられている部品は、図１３および図１４の対応する部品と同一の機能を有する部品である。
【００２９】
図１は本発明の通信装置の一実施形態の全体を示すブロック図である。本実施形態の通信装置も、図１３、図１４の通信装置と同様にマイクロ波帯の通信装置であって、屋外に設置される屋外装置（ODU）である。図１のIFL側には屋内にある通信装置がケーブルを介して接続されており、ANT側にはアンテナが接続されている。アンテナにはディプレクサ１３が接続され、送信と受信が切り替えられる。
【００３０】
本実施形態の通信装置の受信回路は、図１３および図１４の受信回路と同一で、受信ドライバRX、増幅器１０b、ミキサ１１bを備えている。
受信ドライバRXによって受信されたマイクロ波帯信号は、増幅器１０bによって所定の電力レベルまで増幅された後、ミキサ１１bに入力される。ミキサ１１bは、局部発信器（ＬＯ）１４から出力される局部発信信号によってマイクロ波帯信号から中間周波信号を生成する。その中間周波信号は、MX/DMX１２によって多重分離された後、IFLを通って屋内装置に送られる。
【００３１】
本実施形態の通信装置の送信回路も送信電力を自動制御するための減衰量制御回路を備えている。送信回路の前向き回路は、図１３および図１４の送信回路の対応する回路と同一で、ミキサ１１a、アンプ１０、可変アッテネータATT９、アンプ１０aおよび送信ドライバTXを備え、IFLからANTの方向に信号が流れる。
【００３２】
IFLを介して屋内装置から送られた中間周波信号は、MX/DMX１２によって多重化される。ミキサ１１aは、局部発信回路１４によって生成された局部発信信号によって入力された中間周波信号を周波数変換してマイクロ波帯の送信信号を生成する。送信信号はアンプ１０で所定の電力レベルに増幅された後、可変アッテネータATT９に与えられる。
【００３３】
可変アッテネータATT９は、後述する減衰量制御回路によって生成された制御信号に応答して、入力信号を減衰して出力する。可変アッテネータATT９の出力は、アンプ１０aによって増幅された後、送信ドライバTXによってデュプレクサDUP１３を経由してアンテナANTから送信される。
【００３４】
減衰量制御回路は、カプラ１７，検波器８、ゲイン切り替え回路７、A/D変換器６、制御装置（CONT盤）３、D/A変換装置（D/A装置）２およびV/I変換器１を備えている。
【００３５】
送信出力は、その一部がカプラ１７で分岐され検波器８で電圧に変換され、ゲイン切り替え回路７とA/Dコンバータ６を介して制御回路である制御盤（CONT）３に接続されている。CONT盤３はCPU４とEEPROM５を搭載し、D/A変換装置２とV/I変換回路１を介してATT９に接続されている。本実施形態では、D/A装置２は、ATT９へ供給する減衰量制御信号の分解能を高くし、かつ、送信出力がその設定値へ収束する時間を短縮するために、後述するように、４段DA回路（D/A変換器を4段に接続した回路）として構成されている。
【００３６】
図２は、図１のゲイン切り替え回路７の回路図である。
この回路は、検波器８の出力が演算増幅回路６３の非反転入力端子に接続されている。演算増幅回路６３の反転入力端子は帰還抵抗６４を介して出力端子に接続されると共に、抵抗６５、MOS FET６２を介して接地されている。MOS FET６２のゲートには、入力バッファとしてCMOS FET６６が接続されている。また演算増幅回路６３の出力にはログアンプ６７（オプション）が接続されている。
【００３７】
この回路において、MOS FET６２はスイッチ素子として働き、そのスイッチ素子の切り替え信号は、CMOS FET６６から入力される。
MOS FET６２がオフのとき、演算増幅器６３と抵抗６４はボルテージフォロワ回路を構成する。したがって、この場合には検波器８の出力電圧がそのまま演算増幅器６３から出力される。MOS FET６２がオンのとき、演算増幅器６３と抵抗６４、６５は通常の増幅回路を構成する。したがって、検波器８の出力電圧は、抵抗６４および６５で定まる利得（本実施例では１より小さく設定されている）で出力される。このようにして、切り替え信号によって演算増幅器６２による増幅回路の利得を切り替えることができる。MOS FET６２の切り替えは、入力バッファ６６を介してCONT盤３により制御される。
送信電力制御をdBm単位で行う場合には、演算増幅器６３の出力は、ログアンプ６７に接続される。
【００３８】
図３は、ログアンプ６７が接続されているとき、ゲイン切り替え回路７の検波電圧と送信電力レベルの関係の一例を示す図である。図中、「LOW」と標識された曲線は、MOS FET６２がオフのときの特性曲線であり、「HIGH」と標識された曲線は、MOS FET６２がオンのときの特性曲線である。このようにして送信電力に対して減衰量制御回路の広いダイナミックレンジを得ることができる。
【００３９】
A/D変換器６はゲイン切り替え回路７の出力をA/D変換する。
CONT盤３は、CPU４とEEPROM５を備えた情報処理装置である。EEPROM５には、送信電力値（A/D変換器６の出力値、以下、A/D値と記す）に対する減衰量（D/A装置２の入力値、以下、D/A値と記す）のテーブルが蓄積されている。
【００４０】
CPU４は、先ず、設定された送信電力に対して適正なA/D変換器６の入力が得られるように、ゲイン切り替え回路７のゲインを切り替える。そして、その切り替えられたゲインのもとで、A/D値の実際値に対応するD/A値（以下、D/A値の実際値と記す）と、当該設定されたA/D値に対応するD/A値（以下、D/A値の目標値と記す）とを比較し、D/A値の目標値に対するD/A値の実際値の偏差（以下、減衰量偏差と記す）を補償するように、D/A値を補正して、更新されたD/A値をD/A装置２へ出力する。D/A装置２は、その更新されたD/A値を後述する仕方でD/A変換してとして出力する。V-I変換器１はD/A変換器２の出力電圧値を電流値に変換して減衰量制御電流信号としてATT９に供給する。
【００４１】
図４は図１のD/A装置２の構成の詳細を示す回路図である。
このD/A装置２は、更新されたD/A値（ディジタル信号）をCONT盤３から入力して、ATT９の減衰量・電流特性に適合した減衰量制御信号（アナログ信号）を発生する装置である。したがって、通常のD/A変換装置のように、入力されたディジタル信号に比例したアナログ信号を出力するのではなく、入力D/A値と出力減衰量制御信号との間の関係が、ATT９の減衰量・電流特性曲線の減衰量と電流との関係に相似になるように、入力D/A値に対応する減衰量制御信号を出力する装置である。
【００４２】
通常、図１のATT９にはダイオードが使用され、流す電流に応じて減衰量が決まる。このときの電流と制御減衰量（制御される減衰量）の関係は図５の実線の曲線に示されている様な特性をもっているので、感度の高いところと低い所では数倍乃至１０倍もの差がある（図５の縦軸は対数目盛である）。したがって、感度の高い領域と低い領域とを、同一の制御減衰量対電流比を使用して制御をすると、制御に誤差を生じたり、不安定を生じたりする。
この問題を防止するために、本実施形態のD/A装置２においては、入力D/A値と出力減衰量制御信号との間の関係が、ATT９の減衰量・電流特性曲線の減衰量と電流との関係に相似になるように、入力D/A値に対応する減衰量制御信号を生成する。
【００４３】
本実施態様においては、ATT９の減衰量Ａを複数（ｎ）の小区間ΔＡ（ｊ）（ｊ＝１，２，・・・ｎ）に分割し、各区間ｊにおける減衰量ΔＡ（ｊ）に対応する電流値ΔＩ（ｊ）の和としてATT９の任意の減衰量Ａを発生する電流Ｉを生成する。すなわち、
Ｉ＝ΔＩ（１）＋ΔＩ（２）＋・・・・・＋ΔＩ（ｎ）
＝ΔＡ（１）cotθ1＋ΔＡ（２）cotθ2＋・・・ΔＡ（ｎ）cotθn
・・・・・・・・・・・・（１）式（１）のθjは、ATT９の減衰量・電流特性曲線の第ｊ区間における傾角である。すなわち、tanθj＝ΔＡ（ｊ）／ΔＩ（ｊ）である（図５参照）。
【００４４】
前記したように、D/A装置２は、入力D/A値αと出力減衰量制御信号βとの間の関係が、ATT９の減衰量・電流特性曲線の減衰量Ａと電流Ｉとの関係に相似になるように特性付けられている。したがって、
β＝Δβ（１）＋Δβ（２）＋・・・・・＋Δβ（ｎ）
＝Δα（１）cotθ1＋Δα（２）cotθ2＋・・・Δα（ｎ）cotθn
・・・・・・・・・・・・（２）式（２）の右辺は、次のようにして実現することができる。すなわち、
ATT９の減衰量Ａの各区間に対応するように、D/A装置２の入力D/A値（α）をｎ個の区間に区分し、各区間Δα（ｊ）を定める。各区間のΔα（ｊ）をゲインcotθjで増幅して全区間について加算する。
【００４５】
しかし、実際の装置で式（２）を実現する場合には、減衰量・電流特性曲線の１つの区間内においてもθの値は変化するので、例えば、当該区間におけるtanθの平均値、または、各区間について任意に設定された点におけるtanθによって当該区間ｊにおけるtanθjを代表させることができる。本明細書において、勾配の代表値とは、このように、各区間ｊにおいて代表しているtanθの値のことである。したがって、勾配の代表値が、当該区間の各点の実際の勾配と異なることに起因する誤差を少なくするためには、減衰量・電流特性曲線を区分するときに、勾配が一定のセグメントを１つの区間にとることが望ましい態様である。
【００４６】
本実施形態のD/A装置２においては、4個のD/A変換器（DA-1, DA-2, DA-3, DA-4）でなるD/Aコンバータ４０が設けられ、それぞれD/A変換器（DA-1, DA-2, DA-3, DA-4）は、抵抗41-44を介して演算増幅器４５に接続されている。これらの抵抗41-44と演算増幅器４５は周知の加算回路を構成している。したがって、演算増幅器４５は、D/A変換器（DA-1, DA-2, DA-3, DA-4）の出力電圧を、抵抗41-44の抵抗値Ｒ41、Ｒ42、Ｒ43、Ｒ44の逆数に比例したゲインで増幅して、その和を出力する。すなわち、演算増幅器４５は、D/A変換器（DA-1, DA-2, DA-3, DA-4）の出力電圧に、それぞれＲ41、Ｒ42、Ｒ43、Ｒ44の逆数に比例した重み付けをして、その和を出力する。
【００４７】
このD/A装置２は、式（２）と次のように対応付けられている。
図５の減衰量・電流特性曲線が4区間に区分され、その区分に対応してD/A変換器（DA-1, DA-2, DA-3, DA-4）の各々にD/A値αの各区分Δα（ｊ）（ｊ＝１，２，３，４）が入力される。また、Ｒ41、Ｒ42、Ｒ43、Ｒ44は、それらの逆数がそれぞれ式（２）のcotθ1、cotθ2、cotθ3、cotθ4に比例するように（したがって、Ｒ41、Ｒ42、Ｒ43、Ｒ44がそれぞれtanθ1、tanθ2、tanθ3、tanθ4に比例するように）定められている。したがって、演算増幅器４５は、D/A値αに対応する減衰量制御信号βに比例した信号を出力する。
【００４８】
更新されたD/A値は、CONT盤３から、次のようにして４つのD/A変換器（DA-1, DA-2, DA-3, DA-4）に入力される。
例えば、４つのD/A変換器（DA-1, DA-2, DA-3, DA-4）がいずれも8ビットのD/A変換器である場合には、DA-1から順次に数値２５６毎に区切ってD/A値αが入力される。例えば、CONT盤３から出力されるD/A値が５５０を示している場合には、DA-1には数値２５５がカウントされる。次に、DA-2にも数値２５５がカウントされる。残りの数値４０はDA-3にカウントされる。
したがって、D/A変換器（DA-1, DA-2）は数値２５５に該当するアナログ信号を出力し、D/A変換器DA-3は、数値４０に該当するアナログ信号を出力する。
このように、D/A値は、小さい値から大きい値に順次にDA-1, DA-2, DA-3, DA-4に割り当てられる。このようにしてCONT盤からのデータをDA1から順次に使用する
次に、本発明の実施形態の動作について、図面を参照して詳細説明する。
本実施形態の無線通信装置では、図１の左側のIFL（interface line）からIF信号が入力され、マイクロ波帯に周波数変換され、所定の出力まで増幅されてANTから出力される。本装置では送信出力のレベルを一定に保つ様に減衰量制御回路を備えたALC回路を具えている。また外部装置からCONT盤への通信信号による指令で、任意の送信レベルを設定することができる。
【００４９】
送信電力の一部はカプラ１７で分岐され検波器８で電圧に変換される。この電圧は図２の演算増幅器６３にて増幅される。この演算増幅器６３は、MOS FET６２がオンの状態か、オフの状態かによってゲインを切り替えることができる。送信出力のレベルが高くなればダイオードの検波電圧は高くなるが、あまり高すぎるとA/Dコンバータの使用電圧上限に達してしまう。送信出力のレベルが低くなればダイオードの検波電圧は低くなるが、あまり低すぎるとA/Dの分解能以下の電圧になりノイズの影響を受けやすくなる。そこで高い送信出力の場合には、MOS FET６２をオンにして演算増幅回路のゲインを低下させる。また、低い送信出力の場合にはMOS FETをオフにして演算増幅回路のゲインを増加させる。この時、MOS FET６２は、CMOSゲート６６を介してCONT盤３により切り替え制御される。このときの検波電圧と出力レベルの関係が図３に示されている。このようにして広いダイナミックレンジを得ることができる。
【００５０】
CONT盤３は検波電圧のA/D値に応じてD/A装置（図１の）２を制御する。このときCONT盤３のCPUは、EEPROM５のデータを基に制御を行う。例えば、送信出力値（A/D値）を１０dBmにセットした場合において、EEPROM５には３００と記載されているときには、CONT盤３のCPUは、検波電圧のA/D変換値が３００になるようにD/A装置２を制御する（D/A装置２のD/A変換器DA-1, DA-2, DA-3, DA-4に適切な数値を与える）。
【００５１】
図６は本発明の送信出力制御回路を用いた送信出力の制御アルゴリズムの一実施例を示すフロー図である。
制御アルゴリズムは、予め、生成された減衰量偏差を、その大きさによって予め分類し、同一の部類に属する減衰量偏差には同一の補正値を設定し、かつ、大きな減衰量偏差が属する部類には、大きな補正値を設定し、更新された減衰量を生成する処理は、減衰量偏差の大きさに応じて大きな補正値による補正から小さな補正値による補正に処理が進められる、手続きに従って実行される。
【００５２】
先ず、カプラ１７を介して検波器８によって送信出力を検波して電圧値を検出し、当該電圧値のA/D変換後のディジタル値を読み込む(ステップＳ８１）。次に設定されている基準値と比較して(ステップＳ８２）、加算値（現在のD/A値に加算すべき値）のカテゴリを確認し(ステップＳ８３）、加算すべき単位数値を選出する(ステップＳ８４）。選出した加算値を前回のD/A値に加算し、電流値に変換してその電流値によりATTを制御する(ステップＳ８５）。この間、制御が進行するにしたがって、大きな加算値の加算（加算値＝±６４）から小さな加算値（加算値＝±１）の加算へ、加算値の選択単位毎にステップＳ８１乃至Ｓ８５が繰り返される。
【００５３】
例えば、上記のように送信出力値を１０dBmにセットした場合において、EEPROM５には３００と記載されており、しかしA/D変換値が１５０の時には、目標値から１００以上の差があるので、６４だけD/A値が加算される。A/D値が３０５ならば、目標値＋５なので１だけD/A値が減少されることを５回繰り返し最終的には目標値３００丁度か，３００±１に収束される。ここでD/A装置２へ与える加算値を６４から１に変化させているのは、高速に収束させるためであり、最後に１ビットずつ動かすのは±１の誤差で収束させるためである。
図７は、この収束の様子を示す図で、縦軸は減衰量、横軸は時間である。初期状態から急速に所望出力に収束し、１ビットずつの振動モードに変わっている様子が示されている。
【００５４】
本実施形態の通信装置では−１０dBmから＋１５dBmの任意の送信出力レベルにセットできるとして、EEPROM５のテーブルにはその数だけ容量が確保されている。また、テーブルは、ライン切り替え回路７の演算増幅器６３のゲインに応じて２通り準備し、一部をオーバーラップさせている。これは外部装置からの出力レベルの制御指令に対して、不連続な部分をなくし、連続的にスムーズに制御するためと、温度や周波数による補正がある場合の制御目標データを算出するためである。
【００５５】
図８には、約５dBm〜０dBmの範囲で重なっている２つのテーブルの例が示されている。+６dBm以上に設定されるときは、TABLE１を使用し、-１dBm以下に設定する時はTABLE２を使用する。+５〜０dBmの時はTABLE１を優先的に使用するけれど、例えば前回の設定値が-１dBmで今回は０dBmの様なケースではTABLE２を引き続き使用する。またTABLE１を使用する場合には図２の演算増幅回路６３のゲインを「HIGH」に設定し、TABLE２を使用する場合は「LOW」に設定する様にCONT盤３はMOS FET６２をオン・オフ制御する。
【００５６】
図１のATT９は通常ダイオードが使用され、流す電流に応じて減衰量が決まる。ここでATT９の減衰量・電流特性曲線を４分割し、DA-１〜DA-４に割り当てる。図４の回路にて、DA-１〜DA-４の出力は演算増幅器４５による加算回路によって合成される。このとき、抵抗４１〜４４により重みづけされる。このときの加算回路への各入力信号に対するゲインを、図５の該当する区間における勾配（tanθ）の逆数になるように抵抗４１〜４４の値を選定する。このようにして、CONT盤からのデータをDA-1から順次使用する。たとえばDA-１〜DA-４が８ビットD/A変換器のとき、データ（制御値）は、DA-1が０から２５５までカウントし、次にDA-1の計数値を２５５に保ったままDA-2を０から２５５までカウントし、次にDA-2、DA-1の計数値を２５５に保ったままDA-3を０から２５５までカウントし、最後にDA-3、DA-2、DA-1の計数値を２５５に保ったままDA-4を０から２５５までカウントする。演算増幅器４５の出力は電圧出力であるので、演算増幅器４５の出力は、図１の電流−電圧変換回路（V-I変換）１で電流に変換され、減衰量がD/A装置２の出力電圧に応じて決定される。その結果、図９の様なD/A制御値に対し、ほぼリニアなATT制御が得られる。このような仕組みによってD/A制御（D/A変換器に制御量に該当する数値を与えてそれをD/A変換してアナログ制御を行う）することにより、送信出力のレベルを一定に保つことができる。
【００５７】
上記の実施形態においては、図２の回路にログアンプ６７が設けられている。ログアンプ６７の使用は任意で、これを使用しなくても本発明を実施することができる。しかし、検波電圧は送信電力に応じて概ね指数関数的に増加するので、ログアンプで直線化することにより、更にダイナミックレンジを拡大することができる。この場合には、図１に示されているEEPROM５に書き込まれている内容を変更するだけで、その他の回路構成は全くそのまま使用することができる。
【００５８】
さらにEEPROM５のデータの他の実施例としてEEPROM５のデータに温度、周波数に応じて補正値を加減算することにより、送信出力の温度特性、並び周波数特性の補正が可能になる。この場合には、温度は温度センサを用いてCPU４で読み取り、周波数は局部発信器１４（図１参照）の設定情報をもとにCPU４が判断する。さらに温度特性補正に関しては図１０に示されているように温度と出力レベルのマトリクスを使用して補正する。マトリクステーブルはEEPROM５の別な番地に書き込んでおく。
【００５９】
図１１は、検波器の出力レベル対温度曲線の送信出力依存性を示す図である。図１１から分かるように、検波器出力の出力レベル対温度曲線は送信出力により微妙に変化する。上記のマトリクステーブルは、図１１に示されている出力レベル対温度曲線の送信出力依存特性を補うのが目的である。図１０のマトリクスは、送信出力は５dBmおき、温度は２０℃おきとして記述され、中間値は数値を補間して使用される。これにより広い温度範囲と広い送信出力範囲において極めて高精度な制御が可能となる。
【００６０】
最後に、本発明の送信出力制御方法は、本発明の送信出力制御回路を用いて実施され、次の手順で実行される。（図１２参照）
減衰量制御が行われる減衰量の範囲を複数の区間に区分して、それぞれの減衰量区間毎に前記可変減衰器の通過電流値に対する減衰量の勾配の代表値を、前記可変減衰器の既知の減衰量・通過電流特性に従って予め定め、該代表値の逆数に所定の比例定数を乗算した量を、当該区間の減衰量の重みと定義し（ステップＳ１）、送信出力信号を分岐し、検波して検波信号を生成し（ステップＳ２）、送信の有無を判断し（ステップＳ３）、送信が無ければ終了する。送信がある場合には、検波信号をA/D変換して送信電力値を生成し（ステップＳ４）、該送信電力値に対応する減衰量を、設定されている送信電力値に対応する減衰量と比較して減衰量偏差を生成して、該減衰量偏差を補償するように減衰量補正値を演算し減衰量補正値を現在の送信電力値に対応する減衰量に加算して更新された減衰量を演算する（ステップＳ５）。
【００６１】
次に、更新された減衰量を減衰量区間毎に区切ってそれぞれの減衰量区間に配属させ（ステップＳ６）、
前記区間毎の減衰量に重みを付けて加算してその重み付け加算結果に比例するアナログ信号を生成して減衰量制御信号として出力し（ステップＳ７）、減衰量制御信号によってATTを制御する（ステップＳ８）。ステップＳ２からステップＳ８までの処理は、送信期間中、実行する。
【００６２】
これらのステップは減衰量制御プログラムとしてCONT盤３に保持されている。
【００６３】
【発明の効果】
以上説明したように，本発明の無線通信装置の送信出力装置は、次の効果を有する。
１）送信出力の検波電圧のゲインを切り替えることにより、広いダイナミックレンジを持つことができる。
２）可変減衰器の減衰量対電流値特性曲線を勾配がほぼ一定の複数区間に分割し、それぞれの区間に属する減衰量を制御するために、各区間に１つのD/A変換器を割り当て、減衰量の補正値に該当するディジタル減衰データを当該区間のD/A変換器でアナログ減衰データに変換し、各D/A変換器によるアナログ減衰データに、前記減衰量対電流値特性曲線の当該区間における勾配の逆数を重み付けして加算し、その加算結果に比例した制御電流によって可変減衰器を制御することにより、高速で設定値に収束する安定した制御をすることができる。
３）D/A装置の各D/A変換器の制御感度がほぼ一定になるので、送信出力の低い領域から高い領域まで、前記複数のD/A変換器の１ビットあたりの減衰量、すなわち、減衰量の分解能がほぼ同等になる。その結果、１ビットの制御誤差による送信出力の変動が最小限に押さえられる。
４）送信出力の設定値に該当する減衰量対する減衰量偏差を、大きさによって分類し、各部類に属する減衰量偏差には同一の補正値を設定し、かつ、大きな減衰量偏差が属する部類には、大きな補正値を設定し、制御時に、偏差に応じて大きな補正値による補正から小さな補正値による補正に処理を進めることによって、設定値までの送信出力の引き込みを高速に達成することができ、収束点において送信出力を安定に引き込むことができる。
【図面の簡単な説明】
【図１】本発明の無線通信装置の一実施形態の全体を示すブロック図である。
【図２】図１のゲイン切り替え回路の詳細図である。
【図３】ゲイン切り替え回路の検波電圧と出力レベルの関係の一例を示す図である。
【図４】図１のD/A装置２の構成の詳細を示す回路図である。
【図５】減衰器の制御減衰量・電流値特性曲線を示す図である。
【図６】本発明の送信出力制御回路を用いた送信出力の制御アルゴリズムの一実施例を示すフロー図である。
【図７】減衰量の収束の様子を示す図で、初期状態から急速に所望出力に収束し、１ビットずつの振動モードに変わっている様子を示す図である。
【図８】約５dBm〜０dBmの範囲で重なっている２つのテーブルの例を示す図である。
【図９】本発明の装置によって得られる、D/A制御値に対してほぼリニアな制御減衰量を示す図である。
【図１０】送信出力の温度特性補正用の、温度と出力レベルのマトリクスの一実施例を示す図である。
【図１１】検波器の出力レベル対温度曲線の送信出力依存性を示す図である。
【図１２】本発明の送信出力制御方法を説明する処理フロー図である。
【図１３】送受信装置の従来例を示すブロック図である。
【図１４】送受信装置の他の従来例を示すブロック図である。
【符号の説明】
１  電圧/電流変換器（V/I変換器）
２  D/A装置
３  制御盤（CONT盤）
４  CPU
５  EEPROM
６  A/D変換器
７  ゲイン切り替え回路
８  検波器
９  ATT
１０、１０a、１０b  アンプ
１１a，１１b  ミキサ
１２  MX/DMX
１３  デュプレックサ
１４  局部発信器
１７  カプラ
IFL  インタフェースライン
ANT  アンテナ
RX  受信ドライバ
TX  送信ドライバ
【図１】
0003888433.tif 000002
【図２】
0003888433.tif 000003
【図３】
0003888433.tif 000004
【図４】
0003888433.tif 000005
【図５】
0003888433.tif 000006
【図６】
0003888433.tif 000007
【図７】
0003888433.tif 000008
【図８】
0003888433.tif 000009
【図９】
0003888433.tif 000010
【図１０】
0003888433.tif 000011
【図１１】
0003888433.tif 000012
【図１２】
0003888433.tif 000013
【図１３】
0003888433.tif 000014
【図１４】
0003888433.tif 000015